(57)【要約】本発明は、出口バルブを備える容器の首部に固定するトリガー式噴射器に関する。本噴射器は、この噴射器を容器に固定するための固定手段、容器のバルブを作動させるための作動手段、作動手段がバルブを作動させない中立位置と、作動手段がバルブを作動させてバルブの方向に移動する噴射位置との間を移動するトリガー（２００）と、バルブが作動した際にバルブから出る製品を噴射器外部に搬出するための出口通路とを備える。これにより、トリガーが誤って作動する可能性なしに備蓄できる明細書技術分野に記載した噴射器が提供される。また、トリガー（２００）の動きをブロックしてトリガーが噴射位置に達するのを防止するブロック位置と、トリガーが中立位置から噴射位置へ移動できるブロック解除位置との間を移動できるブロック手段（３０４）を有することにより、初回噴射後でもトリガー（２００）をブロックすることができる。【選択図】図２ａ
2013522136.tif 000002
【特許請求の範囲】
【請求項１】
出口バルブ（３１）を備える容器（２）の首部に固定されるトリガー式噴射器（１、１’）であって、
・それを前記容器（２）に固定する固定手段（１０２）と、
・前記容器（２）の前記バルブ（３１）を作動させる作動手段（１１１）と、
・前記作動手段（１１１）が前記バルブ（３１）を作動させない中立位置と、前記作動手段（１１１）が前記バルブ（３１）を作動させて前記バルブ（３１）の方向に移動する噴射位置との間を移動可能なトリガー（２００、２００’）と、
・前記バルブ（３１）が作動した際に前記バルブ（３１）から出る製品を前記噴射器外部に搬出するための出口通路（１１０ａ、１１０ｂ）と、
・前記トリガー（２００、２００’）の動きをブロックして前記トリガー（２００、２００’）が前記噴射位置に達するのを防止するブロック位置と、前記トリガー（２００、２００’）が前記中立位置から前記噴射位置へ移動可能なブロック解除位置との間を移動可能であるブロック手段（３０４）と、
・前記ベース（１００、１００’）の中央を向いたリブ（２０４）を備える前記トリガー（２００、２００’）と、
・ブロック位置とブロック解除位置との間を回動可能な垂直壁（３０４）で構成される前記ブロック手段とを備え、
前記ブロック解除位置では前記垂直壁（３０４）が前記トリガー（２００、２００’）の前記リブ（２０４）と並列せず、前記ブロック位置では前記垂直壁（３０４）が前記トリガー（２００、２００’）の前記リブ（２０４）と並列して前記トリガー（２００、２００’）が前記噴射位置の方へ移動するのをブロックする
ことを特徴とするトリガー式噴射器。
【請求項２】
・前記トリガー（２００、２００’）が、連結手段（１０８、２０１）によって前記噴射器に固定され、
・前記トリガー（２００、２００’）の前記リブ（２０４）が、前記バルブ（３１）を作動させるための前記作動手段（１１１）を介して前記連結手段（１０８、２０１）の反対側に配置される
請求項１に記載のトリガー式噴射器。
【請求項３】
前記垂直壁（３０４）がブロック位置にあり前記トリガー（２００、２００’）が作動された場合に、前記リブ（２０４）が前記垂直壁（３０４）の２つの面のうちいずれか１面に当接して前記垂直壁（３０４）に略直角の力がかかるように、前記リブ（２０４）が前記トリガー（２００、２００’）に配置される
請求項１または２に記載のトリガー式噴射器。
【請求項４】
固定手段（１０２）、作動手段（１１１）及び出口通路（１１０ａ、１１０ｂ）を有するベース（１００、１００’）を備え、ベース（１００、１００’）の上に前記トリガー（２００、２００’）が連結される
請求項１ないし３のいずれかに記載のトリガー式噴射器。
【請求項５】
前記トリガー（２００、２００’）が略Ｌ字型で、その裏面が、端部に前記ベース（１００、１００’）に連結するための連結手段（２０１）を備える第１の枝部である連結枝部と、第２の枝部である自由枝部とで構成される
請求項１ないし４のいずれかに記載のトリガー式噴射器。
【請求項６】
前記リブ（２０４）が、前記自由枝部の面に設置され、前記噴射器の中央を向く
請求項５に記載のトリガー式噴射器。
【請求項７】
前記垂直壁（３０４）が、回動式防護板（３００、３００’）に固定される
請求項１ないし６のいずれかに記載のトリガー式噴射器。
【請求項８】
前記防護板（３００、３００’）が、前記ベース（１００）内部に設置され、前記ベース（１００、１００’）に設けられた円弧状スリット（１１３）を通って突出する少なくとも１つの突起（３０３）を備え、前記１つもしくは複数の突起（３０３）が前記ベース（１００、１００’）外部からアクセス可能である
請求項７に記載のトリガー式噴射器。
【請求項９】
前記ベース（１００、１００’）の内面に少なくとも１つのフック（１１４）が備わり、前記防護板（３００、３００’）に少なくとも１つの円弧状スリット（３０２）が備わり、前記１つもしくは複数のフック（１１４）が前記１つもしくは複数のスリット（３０２）を貫通して前記防護板（３００、３００’）を保持する
請求項７または８に記載のトリガー式噴射器。
【請求項１０】
防護板（３００’）が、過剰な圧力が前記垂直壁（３０４）に対して直角にかかった場合に前記防護板（３００、３００’）が変形するのを防止する補強材（３０７）を備える
請求項７ないし９のいずれか一項に記載のトリガー式噴射器。
【請求項１１】
前記トリガー（２００、２００’）が、ピボット（１０８）を介して前記ベース（１００、１００’）に固定される
請求項４ないし１０のいずれかに記載のトリガー式噴射器。
【請求項１２】
前記トリガー（２００、２００’）が前記中立位置よりも上に上がるのを防止する手段（１１６、２０５）を備える
請求項１ないし１１のいずれかに記載のトリガー式噴射器。
【発明の詳細な説明】
【技術分野】
【０００１】
本発明は、出口バルブを備える容器の首部に固定されるようになっているトリガー式噴射器に関する。本噴射器は、この噴射器を容器に固定するための固定手段、容器のバルブを作動させるための作動手段、作動手段がバルブを作動させない中立位置と、作動手段がバルブを作動させてバルブの方向に移動する噴射位置との間を移動できるトリガー、及びバルブが作動した際にバルブから出る製品を噴射器外部に搬出するための出口通路を有する。さらに、本噴射器は、ブロック手段がトリガーの動きをブロックしてトリガーが噴射位置に達するのを防止するブロック位置と、トリガーが中立位置から噴射位置へ移動できるブロック解除位置との間を移動できるブロック手段を備える。トリガーは、ベースの中央を向いたリブを備え、ブロック手段は、ブロック位置とブロック解除位置との間を回動できる垂直壁で構成される。
【背景技術】
【０００２】
このような噴射器は、農産物加工業及び化粧品業界で広く使用され、とりわけホイップクリームなどのムースの噴射に使用される。
【０００３】
トリガーを不本意に作動させて、初回使用前も使用後も製品が誤って出てくるようなことがないようにすることが重要である。
【０００４】
特許文献１は、上記技術分野に記載した噴射器について記載している。この噴射器は、実質的に、容器にねじ止めしたベースと、バルブを作動させるための手段及び出口通路を備えた押しボタンと、ベース及び押しボタンの周囲に回動式に取り付けられたロックスリーブと、ベース及びロックスリーブを包囲するケースで、この上にトリガーが連結されるケースとで構成される。トリガーの内面には、リブが固定される。ロックスリーブの上辺は、２つの凹部に隔てられた２つの対面する頂点部を備える。トリガーのリブ及びスリーブの頂点部の寸法は、頂点部がトリガーの下に位置するときに、リブの下辺がトリガーのピボット側に位置する頂点部の辺に当接するように決定される。トリガーは、下がることができず、押しボタンを押圧することはできない。ロックスリーブを４分の１回動させると、トリガーの下にくるのは凹部である。トリガーの自由枝部に圧力がかかると、トリガーは回動して下がり、押しボタンを押圧する。リブは、スリーブの上辺に当接しなくなる。この噴射器にはいくつかの欠点がある。まず、５つの異なる部品が必要である。さらに、ロック手段はトリガーのピボット側に位置しているため、トリガーは、装置がロックされていても自由部分にかかる圧力の影響で湾曲しないように、十分な厚みであることが不可欠である。厚みが不十分であれば、ロックされていても押しボタンが作動する可能性がある。この余分なトリガーの厚みは、製造コストを増大させるものである。その上、ロックを確実にするには、リブの辺がロックスリーブの辺に当接する必要がある。そのため、リブは、スリーブの壁に対して平行に、下に向かって力をかける。部品のどちらかが軽く変形すると、その結果、必要な並列が確保されなくなるおそれがある。その場合、ロック手段は効果がなくなる。
【０００５】
特許文献２は、ベース部分と、ベースに連結したトリガーと、トリガーに連結し、バルブ作動手段及び出口通路を備える押しボタンとで構成され、ブロック手段がベースに連結した噴射器を開示している。これらのブロック手段は、噴射器全体に対してずれた垂直軸周りを回動する。ブロック手段は、円弧状の垂直壁を有し、この垂直壁を、選択により、押しボタンの作動手段の下に設置することによって下へ向かう動きをブロックしたり、逆に、作動手段が垂直壁の前を通って下がり、バルブを作動させられるように、垂直壁を遠ざけたりすることができる。よって、トリガーは、トリガーに連結する押しボタンを介して間接的にブロックされる。強すぎる圧力がトリガーにかかると、押しボタンをトリガーに接続する柔軟なブリッジが折れて噴射器が壊れるおそれがある。さらに、ロック手段は、ピボット軸のみでベースに連結しているため、わずかな衝撃でも望まない位置に移動するおそれがある。
【０００６】
特許文献３は、トリガー式噴射器を開示している。この噴射器は、ピストル型のベースと、ベースに連結し、上に噴射器を取り付ける容器の押しボタンを押圧するようになっているトリガーと、水平軸周りを回動するプレートとを備える。プレートは、このプレートが下がったときにトリガーの自由端が貫通できるスリットを備える。この場合、トリガーは回動できず、押しボタンを作動させることはできない。プレートが上がると、トリガーの端部はプレートのスリットとは協働しない。そのため、トリガーを作動させることができる。この装置は、その構想からしてすでに寸法が大きい上、トリガーのロックを解除するためにプレートを出す必要がある。
【先行技術文献】
【特許文献】
【０００７】
【特許文献１】ＷＯ２００７／００８３７５Ａ２
【特許文献２】ＥＰ２０６０５０７Ａ２
【特許文献３】ＷＯ９８／３２６７７Ａ１
【発明の概要】
【発明が解決しようとする課題】
【０００８】
本発明は、小型であると共により作製しやすく、上記技術分野に記載した噴射器を提供することを課題とする。もう１つの目的は、部品が大量の材料を必要としない噴射器を得ることである。第３の目的は、向き及び／または製造に極度の正確さを必要としないようなブロック手段を開発することである。
【課題を解決するための手段】
【０００９】
上記課題は、ブロック解除位置では垂直壁がトリガーのリブと並列せず、ブロック位置では壁がトリガーのリブと並列してトリガーが噴射位置の方へ移動するのをブロックする本発明により達成される。リブに対する壁の位置に応じて、トリガーの動きをブロックする、またはしないことが可能になる。
【００１０】
壁がブロック位置にあってもトリガーに過剰な圧力がかかった場合に、トリガーが変形しないようにトリガーの寸法を大きくしすぎるのを回避するため、トリガーを連結手段で固定し、バルブを作動させるための作動手段を間に介して連結手段の反対側にトリガーのリブを配置することが好ましい。
【００１１】
噴射器を簡略化するため、壁がブロック位置にありトリガーが作動された場合に、リブが垂直壁の２つの面のうちどちらか１面に当接して垂直壁にほぼ直角の力がかかるように、リブはトリガーに配置されることが好ましい。壁またはリブが変形した場合であっても、リブは先行技術のように壁の上辺を押圧することなく主要表面を押圧するため、ブロック機能は維持される。
【００１２】
具体的には、本噴射器は、固定手段、作動手段及び出口通路を備えるベースで構成され、このベース上にトリガーが連結される。これによって、噴射器の製造に必要な部品数を減らすことができる。
【００１３】
トリガーはほぼＬ字型で、その裏面は、連結枝部と称する第１の枝部であって、その端部にベースに連結するための連結手段を備える第１の枝部と、自由枝部と称する第２の枝部とで構成されることが好ましい。この場合、自由枝部の面に、噴射器の中央を向いたリブを設置することができる。
【００１４】
垂直壁は、回動式防護板に固定することが好ましい。この防護板は、ベース内部に設置され、ベースに設けられた円弧状スリットを通って突出する少なくとも１つの突起を備え、突起はベース外部からアクセスできるようになっている。したがって、使用者は、防護板及びこの防護板に付随して垂直壁を回動させ、突起をそれぞれのスリット内で移動させることができる。先行技術とは逆に、垂直壁はこの場合、ベース内部で、外部衝撃を回避する位置にある。
【００１５】
防護板をベース内部に保持するため、少なくともベースの内面及び少なくとも防護板の円弧状スリットにフックを設け、フックがスリットを貫通して防護板を保持することが好ましい。防護板は、フックによって垂直方向に保持されるため、回動をブロックされることはない。
【００１６】
過剰な圧力が垂直壁に直角にかかった場合に防護板が変形するのを回避するため、防護板に、好ましくはその内面に、補強材を設けることができる。
【００１７】
本発明の優先的な実施形態では、トリガーは、ピボットを介してベースに固定される。さらに、トリガーが中立位置よりも上に上がるのを防止するための手段を設けることができる。
【００１８】
本発明を、以下の図面を用いてさらに詳細に説明する。
【図面の簡単な説明】
【００１９】
【図１】様々な部品の分解斜視図
【図２ａ】ブロック位置にあるブロック手段の水平断面図
【図２ｂ】ブロック解除位置にあるブロック手段の水平断面図
【図３ａ】ブロック位置にあるブロック手段の垂直断面図
【図３ｂ】ブロック解除位置にあるブロック手段の垂直断面図
【図４ａ】ベースの上面斜視図
【図４ｂ】ベースの下面斜視図
【図４ｃ】ベースの垂直断面図
【図５】トリガーの斜視図
【図６】防護板の斜視図
【図７】防護板の第２の実施例の上面斜視図
【図８】図７の防護板の下面斜視図
【図９】トリガーの第２の実施例の斜視図
【図１０】ベースの第２の実施例の斜視図
【図１１】図７の防護板と図９のトリガーと図１０のベースを備える噴射器の垂直断面図
【発明を実施するための形態】
【００２０】
説明を明瞭にするため、「下」及び「上」などの空間的呼称を使用する。噴射器は、容器とは独立して製造、販売される。また、本発明の範囲は噴射器のみにかかり、容器にはかからない。その結果、これらの呼称は、噴射器を容器に組み立て、噴射器を容器の上に設置して使用するようになっているものとして、噴射器に対して用いる。これは、逆の位置、すなわち噴射器が容器の下にある位置、またはこれ以外のあらゆる位置で使用できることを妨げるものではない。
【００２１】
本発明の噴射器（１、１’）は、実質的に、ベース（１００、１００’）と、連結手段によりベース（１００、１００’）に連結したトリガー（２００、２００’）と、ベース（１００、１００’）内部に位置する防護板（３００、３００’）とで構成される。本噴射器は、回動式に動く状態のまま、バルブ（３１）を備える容器（２）の首部に係合するようになっている。
【００２２】
本明細書に記載する実施例において、容器（２）は、尖頭アーチ状の首部を有する入れ物である。容器は、オス型バルブ（３１）を備えるキャップ（３）で閉鎖される。容器の中身は加圧されている。バルブ（３１）が押し下げられると、バルブは開き、製品が解放される。バルブはメス型バルブであってもよく、その結果、作動手段が修正されることは自明である。同じく、本発明は、加圧容器のみに限定されるものではない、バルブは、例えばピストン式ポンプを閉鎖するバルブであってもよい。
【００２３】
ベース（１００、１００’）は、容器（２）の首部に係合するようになっている環状スカート（１０１）を有する。スカートの回動対称軸は、以下、対称軸と称する。そのため、スカート（１０１）は、その内面に設置され２つのフランジ形態に作製された固定手段（１０２）を備える。この２つのフランジを隔てる距離は、キャップ（３）を容器（２）の首部に接合する部分の厚みに相当する。したがって、この接合部で係合すると、噴射器は垂直に移動できなくなる。
【００２４】
スカートの上には、ベースの壁に続いて２つの対称な肩部（１０３）があり、これらの肩部より上のベースの断面は、２つの円弧状小側面を有する長方形に近い形である。この小側面（１０４）の一方に、上に開口するＵ字型開口部（１０５）を設けた。もう一方の小側面（１０６）近傍には、各大側面の延長上に、半径面に平行な２つの翼部（１０７）を設け、この翼部同士の間には、翼部（１０７）に直角な水平ピボット（１０８）がある。
【００２５】
ベース（１００、１００’）は、翼部（１０７）側からほぼ水平な壁が続き、この壁から舌部（１０９）が出ている。この舌部（１０９）の内面には、バルブ（３１）から出てくる製品のための出口通路（１１０ａ、１１０ｂ）がある。この通路は、対称軸と並列する垂直部分であって、下がバルブ（３１）と協働するようになっている作動手段（１１１）で終わる垂直部分（１１０ａ）と、より水平に近く外部に開口部する部分であって、この場合はノズルで終わる部分（１１０ｂ）とに分割される。舌部（１０９）の上面には、誘導溝（１１２）が設けられる。この舌部は、上から押圧して出口通路（１１０ａ、１１０ｂ）及び作動手段（１１１）を下へ移動させられるように十分に弾力があるものである。
【００２６】
各肩部（１０３）には、円弧状スリット（１１３）を設け、円の中央は対称軸上に位置するようにした。各スリット（１１３）近傍には、内面にフック（１１４）を設置した。これらのフックは、防護板（３００、３００’）を保持するようになっている。
【００２７】
ベースの内面には、肩部（１０３）のベースに補強リブ（１１５）を配置する。
【００２８】
トリガー（２００、２００’）はほぼＬ字型で、その裏面は、連結枝部と称する第１の枝部と、自由枝部と称する第２の枝部とで構成される。自由枝部の反対側にある連結枝部の端部には、ベース（１００、１００’）のピボット軸（１０８）に係合するようになっている２つのフック（２０１）を内面に設置した。トリガー側面の縁により、フック及びピボットを隠すことができる。これらのフック（２０１）及びピボット軸（１０８）は、連結手段を形成する。同じ面の自由枝部寄りの所には、誘導リブ（２０２）を設置した。このリブは、容器の方向に向かって自由枝部に圧力がかかったときに、連結枝部が舌部（１０９）を押圧し、誘導リブ（２０２）が舌部の誘導溝（１１２）を通過するように設置する。
【００２９】
２つの枝部の交点近傍で、自由枝部に開口部（２０３）を設けた。この開口部の寸法及び配置は、この開口部が通路（１１０ｂ）の出口端部と並列するように決定する。そのため、バルブが作動すると、通路（１１０ａ、１１０ｂ）から出る製品は、この開口部（２０３）を通過する。製品は、垂直線に対して傾斜した噴射口ではなく、対称軸を通る噴射口から出すようにすることも可能である。そのためには、出口通路をその垂直部分（１１０ａ）に限定することができ、開口部（２０３）は連結枝部に移す。
【００３０】
自由枝部の内面には、第２のリブ（２０４）を設置した。このリブは、トリガー（２００、２００’）の自由枝部に圧力がかかったときに、ベースのＵ字型開口部（１０５）に無理なく入るように設置する。このリブ（２０４）は、半径面に平行だが、対称軸は通らない。図３ａ及び図３ｂの断面図はこのリブ（２０４）を通っており、このリブは、例えば通路（１１０ａ、１１０ｂ）に対してずれている。
【００３１】
ベース（１００、１００’）内部には、トリガー（２００、２００’）のブロック手段を備えるための防護板（３００、３００’）を設けた。この防護板（３００、３００’）は、ほぼ環状ドーム型である。防護板は、通路の垂直部分（１１０ａ）及び作動手段（１１１）を通過させるための中央開口部（３０１）を備える。防護板は、２つの円弧状スリット（３０２）も備える。これらのスリットの寸法及び配置は、ベースのフック（１１４）が中を貫通してそこに嵌合した状態になるように決定する。
【００３２】
防護板は、その上面に２つの突起（３０３）を備え、この突起の寸法及び配置は、この突起がベースの円弧状スリット（１１３）を貫通し、ベースの外面に向かって突出するように決定する。これらの突起（３０３）により、使用者は、スリット（１１３）の両端に突起（３０３）が当接する箇所及び／またはスリット（３０２）の両端にフック（１１４）が当接する箇所が境界となる２つの端位置の間で防護板を回動させることができる。
【００３３】
防護板（３００、３００’）は、さらにその上面に、防護板の周囲を延長した所に位置するほぼ垂直な壁（３０４）を備える。この壁は、トリガーのブロック手段となる。この壁は、１つまたは複数の半径方向の補強材（３０５）で支持される。記載した例では、垂直壁（３０４）は、防護板の周囲を延長した湾曲形状である。この垂直壁は、平坦に作製してもよい。この壁は、防護板と同時に２つの端位置の間を回動する。防護板と同じく、この壁はベース内部にあり、外部衝撃から保護される。ブロック位置と称する第１の位置では、壁はベースのＵ字型開口部（１０５）を閉鎖する。ブロック解除位置と称する第２の位置では、壁は、Ｕ字型開口部（１０５）を解放するように十分に回動する。
【００３４】
防護板の周囲には４つのくり抜き部（３０６）を設け、補強材（１１５）の高さに防護板が通れるようにする。
【００３５】
本発明の噴射器の動作原理を、図２及び３を用いて以下に説明する。
図２ａ及び３ａにおいて、防護板（３００）をブロック位置に回す。突起（３０３）は、ベースのスリット（１１３）の右端に当接する。壁（３０４）は、ベースの開口部（１０５）を封鎖する。トリガー（２００）は、壁（３０４）に当接するリブ（２０４）でブロックされているため引くことができず、トリガー（２００）の連結枝部が舌部（１０９）を押圧して（または十分に押圧して）バルブ（３１）を開口させることはない。リブ（２０４）は、垂直壁（３０４）の外面に当接し、ほぼ水平に噴射器内部に向かう力をかけることがわかる。よって、この力は、垂直壁に対してほぼ直角である。壁は、リブ（２０４）の位置をＵ字型開口部（１０５）に対して極めて正確に調整する必要がないように、十分に大きいものである。
【００３６】
使用者が防護板（３００、３００’）を回し、スリット（１１３）から出ている突起（３０３）をスリット（１１３）のもう一方の端部に当接するまで左に移動させると、壁（３０４）は、Ｕ字型開口部（１０５）を解放するように十分に回動する。このときリブ（２０４）は、この開口部（１０５）を貫通することができ、トリガーは、連結枝部が舌部（１０９）を押圧してこの舌部をバルブの方向へ押し下げるように、ピボット（１０８）周りを十分に回動することができる。すると、作動手段（１１１）はバルブ（３１）と接触し、バルブを押し下げて開口させる。トリガーの自由枝部にかけられた圧力が停止すると、バルブ（３１）は作動手段を上に押し戻し、この作動手段に付随して通路及び舌部（１０９）も押し戻す。一方、舌部は、トリガーの連結枝部を上へ押し戻し、これと同時に自由枝部を遠ざける。リブ（２０４）は、再びスリット（１０５）から出て、防護板（３００、３００’）は、必要に応じてブロック位置に戻ることができる。
【００３７】
図３ｂでは、通路（１１０ａ、１１０ｂ）を有する舌部（１０９）及び作動手段（１１１）は、間違って（図３ａのように）押し下げられていない位置に示されていることに注意されたい。実際には、舌部（１０９）をベースの残り部分に再び押し付ける枝部は、この舌部を押し下げることができるように十分な弾力がある。
【００３８】
図７〜１１に示した一実施変形例では、ベースモデルにいくつかの改良点を加えた。それぞれの改良点は互いに無関係であるため、すべてを取り入れる必要はない。
【００３９】
防護板（３００’）の下に、補足の補強材（３０７）を設けた。これらの補強材は、２つの垂直リブの形態であり、１つは垂直壁（３０４）の下に、もう１つはその反対側に設置される。これらのリブの寸法は、噴射器（１’）を容器（２）に設置したときに、このリブがキャップ（３）を押圧するように決定する。したがって、リブ（２０４）が垂直壁（３０４）に対して極めて大きな圧力をかけたとしても、垂直壁は、後方に回動して防護板を下に向かって変形させることで折れるようなことはない。
【００４０】
同じように、垂直壁（３０４）の後ろには、３つの補強材（３０５）を設け、これによってリブ（２０４）は、垂直壁の表面全体を押圧して垂直壁が変形しないようにすることができる。
【００４１】
トリガー（２００’）が中立位置よりも上に上がるのを防止するため、保持手段を設けた。この保持手段は、連結枝部の内面で、連結手段近傍に設置したフック（２０５）で構成される。ベースの舌部（１０９）には、これに対応するスリット（１１６）を設けた。トリガーをベースに組み立てた後、トリガーはベースの方向へ押し込まれ、フック（２０５）はスリット（１１６）を通過する。トリガーの自由枝部に圧力がかけられると、フック（２０５）は、トリガーが回動する動きを妨げることなくベース内部に下がる。逆に、使用者がトリガーを上げようとすると、トリガーは、スリット（１１６）の縁に当接するフックに保持される。フックを無理に壊さないかぎり、使用者は、原則としてバルブ（３１）にはアクセスできず、バルブが汚れるリスクはない。
【００４２】
連結枝部ではなく自由枝部に配置したリブによって、壁の上辺ではなく垂直面にリブを当接させてトリガーの動きをブロックすることができる。リブ（２０４）と壁（３０４）との協働機能は、どちらかの部品が変形した場合でも確保される。その上、このようにすることによって、先行技術が提供するブロック手段とは異なり、互いに対する正確な調整が必要ない。
【００４３】
さらに、トリガーと作動手段（１１１）を備える舌部（１０９）との接触点を間に介してピボット（１０８）の反対側にブロック手段を設置することで、トリガーの寸法を過度に大きくする必要がなくなる。実際、垂直壁がリブと並列しているときに自由枝部に過剰な圧力がかけられた場合であっても、トリガーは、一方でピボット（１０８）を、もう一方で垂直壁を押圧しているため、変形しない。
【００４４】
ピボット軸ではなく、フィルムヒンジを用いてトリガーをベースに固定してもよい。そのためには、例えば射出成形によってベース及び一体成形ヒンジを製造することができる。また、すでに射出成形したベースにヒンジを複製してもよいし、この逆でもよい。フィルムヒンジは、連結手段の役割を果たす。
【符号の説明】
【００４５】
１      噴射器
１’    噴射器
１００    ベース
１００’  ベース
１０１  スカート
１０２  フランジ（固定手段）
１０３  肩部
１０４  湾曲した第１の壁
１０５  Ｕ字型スリット
１０６  湾曲した第２の壁
１０７  翼部
１０８  ピボット
１０９  舌部
１１０  出口通路
１１０ａ  垂直部分
１１０ｂ  水平に近い部分
１１１  バルブの作動手段
１１２  誘導溝
１１３  突起用スリット
１１４  防護板固定用フック
１１５  補強材
１１６  保持スリット
２００    トリガー
２００’  トリガー
２０１  ピボット固定用フック
２０２  誘導リブ
２０３  通過用開口部
２０４  リブ（ブロック手段）
２０５  フック
３００    防護板
３００’  防護板
３０１  中央開口部
３０２  ベースのフック用スリット
３０３  突起
３０４  壁（ブロック手段）
３０５  補強材
３０６  くり抜き部
３０７  補強材
２    容器
３    キャップ
３１  バルブ
【図１】
2013522136.tif 000003
【図２ａ】
2013522136.tif 000004
【図２ｂ】
2013522136.tif 000005
【図３ａ】
2013522136.tif 000006
【図３ｂ】
2013522136.tif 000007
【図４ａ】
2013522136.tif 000008
【図４ｂ】
2013522136.tif 000009
【図４ｃ】
2013522136.tif 000010
【図５】
2013522136.tif 000011
【図６】
2013522136.tif 000012
【図７】
2013522136.tif 000013
【図８】
2013522136.tif 000014
【図９】
2013522136.tif 000015
【図１０】
2013522136.tif 000016
【図１１】
2013522136.tif 000017
【手続補正書】
【提出日】平成24年10月10日(2012.10.10)
【手続補正１】
【補正対象書類名】特許請求の範囲
【補正対象項目名】全文
【補正方法】変更
【補正の内容】
【特許請求の範囲】
【請求項１】
出口バルブ（３１）を備える容器（２）の首部に固定されるトリガー式噴射器（１、１’）であって、
・その噴射器を前記容器（２）に固定する固定手段（１０２）を備えるベース（１００，  １００’）と、
・前記容器（２）の前記バルブ（３１）を作動させる作動手段（１１１）と、
・前記作動手段（１１１）が前記バルブ（３１）を作動させない中立位置と、前記作動手段（１１１）が前記バルブ（３１）を作動させて前記バルブ（３１）の方向に移動する噴射位置との間を移動可能なトリガー（２００、２００’）と、
・前記バルブ（３１）が作動した際に前記バルブ（３１）から出る製品を前記噴射器外部に搬出するための出口通路（１１０ａ、１１０ｂ）と、
・前記トリガー（２００、２００’）の動きをブロックして前記トリガー（２００、２００’）が前記噴射位置に達するのを防止するブロック位置と、前記トリガー（２００、２００’）が前記中立位置から前記噴射位置へ移動可能なブロック解除位置との間を移動可能であるブロック手段（３０４）と、
・前記ベース（１００、１００’）の中央を向いたリブ（２０４）を備える前記トリガー（２００、２００’）と、
・ブロック位置とブロック解除位置との間を回動可能な垂直壁（３０４）で構成される前記ブロック手段とを備え、
前記ブロック解除位置では前記垂直壁（３０４）が前記トリガー（２００、２００’）の前記リブ（２０４）と並列せず、前記ブロック位置では前記垂直壁（３０４）が前記トリガー（２００、２００’）の前記リブ（２０４）と並列して前記トリガー（２００、２００’）が前記噴射位置の方へ移動するのをブロックする
ことを特徴とするトリガー式噴射器。
【請求項２】
・前記トリガー（２００、２００’）が、連結手段（１０８、２０１）によって前記噴射器に固定され、
・前記トリガー（２００、２００’）の前記リブ（２０４）が、前記バルブ（３１）を作動させるための前記作動手段（１１１）を介して前記連結手段（１０８、２０１）の反対側に配置される
請求項１に記載のトリガー式噴射器。
【請求項３】
前記垂直壁（３０４）がブロック位置にあり前記トリガー（２００、２００’）が作動された場合に、前記リブ（２０４）が前記垂直壁（３０４）の２つの面のうちいずれか１面に当接して前記垂直壁（３０４）に略直角の力がかかるように、前記リブ（２０４）が前記トリガー（２００、２００’）に配置される
請求項１または２に記載のトリガー式噴射器。
【請求項４】
ベース（１００、１００’）が、固定手段（１０２）、作動手段（１１１）及び出口通路（１１０ａ、１１０ｂ）を備え、前記トリガー（２００、２００’）がベース（１００、１００’）に連結される
請求項１ないし３のいずれかに記載のトリガー式噴射器。
【請求項５】
前記トリガー（２００、２００’）が略Ｌ字型で、その裏面が、端部に前記ベース（１００、１００’）に連結するための連結手段（２０１）を備える第１の枝部である連結枝部と、第２の枝部である自由枝部とで構成される
請求項１ないし４のいずれかに記載のトリガー式噴射器。
【請求項６】
前記リブ（２０４）が、前記自由枝部の面に設置され、前記噴射器の中央を向く
請求項５に記載のトリガー式噴射器。
【請求項７】
前記垂直壁（３０４）が、回動式防護板（３００、３００’）に固定される
請求項１ないし６のいずれかに記載のトリガー式噴射器。
【請求項８】
前記防護板（３００、３００’）が、前記ベース（１００）内部に設置され、前記ベース（１００、１００’）に設けられた円弧状スリット（１１３）を通って突出する少なくとも１つの突起（３０３）を備え、前記１つもしくは複数の突起（３０３）が前記ベース（１００、１００’）外部からアクセス可能である
請求項７に記載のトリガー式噴射器。
【請求項９】
前記ベース（１００、１００’）の内面に少なくとも１つのフック（１１４）が備わり、前記防護板（３００、３００’）に少なくとも１つの円弧状スリット（３０２）が備わり、前記１つもしくは複数のフック（１１４）が前記１つもしくは複数のスリット（３０２）を貫通して前記防護板（３００、３００’）を保持する
請求項７または８に記載のトリガー式噴射器。
【請求項１０】
防護板（３００’）が、過剰な圧力が前記垂直壁（３０４）に対して直角にかかった場合に前記防護板（３００、３００’）が変形するのを防止する補強材（３０７）を備える
請求項７ないし９のいずれか一項に記載のトリガー式噴射器。
【請求項１１】
前記トリガー（２００、２００’）が、ピボット（１０８）を介して前記ベース（１００、１００’）に固定される
請求項４ないし１０のいずれかに記載のトリガー式噴射器。
【請求項１２】
前記トリガー（２００、２００’）が前記中立位置よりも上に上がるのを防止する手段（１１６、２０５）を備える
請求項１ないし１１のいずれかに記載のトリガー式噴射器。
【国際調査報告】
2013522136.tif 000018
2013522136.tif 000019
2013522136.tif 000020
2013522136.tif 000021